(57)【要約】【課題】電磁波ノイズ対策を強化することが可能な表示装置およびテレビ受信装置を提供する。【解決手段】画像が表示される表示パネル１１と、前記表示パネル１１に対して光を照射する照明装置３０と、前記表示パネル１１と前記照明装置３０とを一体的に保持する導電性の保持部材４０とを備え、前記表示パネル１１には、この表示パネル１１の駆動を制御する制御基板２０が接続され、前記制御基板２０には、グランドパターン２２と、前記制御基板２０の厚さ方向に貫通する開口部２１と、前記開口部２１に嵌合され、前記グランドパターン２２と前記保持部材４０とを接続するコンタクト部５０と、が形成され、前記コンタクト部５０は、前記制御基板２０に形成された前記グランドパターン２２と接触する第１接触部５６と、前記保持部材４０と接触する第２接触部５７とを有している。【選択図】図１０
2012068301.tif 000002
【特許請求の範囲】
【請求項１】
画像が表示される表示パネルと、前記表示パネルに対して光を照射する照明装置と、前記表示パネルと前記照明装置とを一体的に保持する導電性の保持部材とを備え、
前記表示パネルには、この表示パネルの駆動を制御する制御基板が接続され、
前記制御基板には、グランドパターンと、前記制御基板の厚さ方向に貫通する開口部と、前記開口部に嵌合され、前記グランドパターンと前記保持部材とを接続するコンタクト部と、が形成され、
前記コンタクト部は、前記制御基板に形成された前記グランドパターンに接触する第１接触部と、前記保持部材に接触する第２接触部とを有している表示装置。
【請求項２】
前記グランドパターンは、前記開口部の開口内壁面に形成された接続部を有し、
前記第１接触部は、前記コンタクト部の側面に突出して設けられて前記接続部に接触するものである請求項１に記載の表示装置。
【請求項３】
前記照明装置は、複数の光源と、該光源を収容する筐体とを有し、
前記制御基板は、前記筐体の壁面に沿って配置され、
前記保持部材は、前記制御基板の前記筐体とは反対側に位置する覆部を有し、
前記第２接触部は、前記コンタクト部の前記筐体とは反対側の端部に設けられて前記覆部に接触するものである請求項１または請求項２に記載の表示装置。
【請求項４】
前記コンタクト部は、前記筐体に係止する筐体係止部を有し、前記制御基板を前記筐体に固定するものである請求項３に記載の表示装置。
【請求項５】
前記筐体には、前記開口部に対応する位置に貫通口が形成され、
前記コンタクト部は、前記開口部および前記貫通口に挿入されるものであり、
前記筐体係止部は、前記貫通口の周縁部に対して前記制御基板が配置される側とは反対側から係止するものである請求項４に記載の表示装置。
【請求項６】
前記コンタクト部は、前記制御基板側から前記筐体側へ向かって挿入されるものであって、
前記筐体係止部は、前記コンタクト部の挿入方向の先方から後方へ向かって少しずつ側方に突出し、その後端が前記貫通口の周縁部に係止するものとされている請求項５に記載の表示装置。
【請求項７】
前記コンタクト部は、前記貫通口の周縁部に対して前記制御基板が配置される側から係止して、前記筐体係止部との間に前記貫通口の周縁部を挟み込む筐体挟持部を有している請求項５または請求項６に記載の表示装置。
【請求項８】
前記コンタクト部は、前記制御基板側から前記筐体側へ向かって挿入されるものであって、
前記開口部は前記貫通口よりも開口面積が大きく形成され、
前記コンタクト部のうち前記開口部に嵌合する本体部の一部分が、前記筐体挟持部を構成している請求項７に記載の表示装置。
【請求項９】
前記コンタクト部は、前記筐体側から前記制御基板側へ向かって挿入されるものであって、
前記筐体挟持部は、前記コンタクト部の側面に突出して設けられ、その表面は曲面とされている請求項７に記載の表示装置。
【請求項１０】
前記コンタクト部は、前記筐体側から前記制御基板側へ向かって挿入されるものであって、
前記筐体挟持部は、前記コンタクト部の挿入方向の先方から後方に向かって少しずつ側方に突出し、その後端が前記貫通口の周縁部に係止するものとされている請求項７に記載の表示装置。
【請求項１１】
前記コンタクト部は、前記開口部の周縁部に対して前記筐体とは反対側から係止する基板係止部を有している請求項３ないし請求項１０のいずれか一項に記載の表示装置。
【請求項１２】
前記コンタクト部は、前記筐体側から前記制御基板側へ向かって挿入されるものであって、
前記基板係止部は、前記コンタクト部の挿入方向の先方から後方に向かって少しずつ側方に突出し、その後端が前記開口部の周縁部に係止するものとされている請求項１１に記載の表示装置。
【請求項１３】
前記第２接触部は、前記保持部材に対して弾性的に接触するものである請求項１ないし請求項１２のいずれか一項に記載の表示装置。
【請求項１４】
前記第２接触部は、前記コンタクト部の一部分を前記保持部材側に切り起こすことで形成され、前記保持部材との接触方向に弾性変形可能とされたものである請求項１３に記載の表示装置。
【請求項１５】
前記コンタクト部は筒状をなし、
前記コンタクト部の内部には、その軸方向に弾性変形可能な弾性部材が収容され、
前記弾性部材の前記軸方向の一端側にはピストン部が備えられ、
前記第２接触部は、前記ピストン部に設けられて前記弾性部材が弾性収縮した状態で前記保持部材に接触するものである請求項１３に記載の表示装置。
【請求項１６】
前記第２接触部は、前記ピストン部の先端に設けられ、前記保持部材との接触方向に尖った形状をなしている請求項１５に記載の表示装置。
【請求項１７】
前記コンタクト部のうち少なくとも前記第２接触部は形状記憶合金からなる請求項１ないし請求項１６のいずれか一項に記載の表示装置。
【請求項１８】
前記照明装置は、複数の光源と、該光源を収容する筐体とを有し、
前記筐体には、前記開口部に対応する位置に貫通口が形成され、
前記コンタクト部のうち前記貫通口内に位置する部分は、前記貫通口の幅寸法と同等の幅寸法を有している請求項１ないし請求項１７に記載の表示装置。
【請求項１９】
前記コンタクト部の挿入方向の先端部は、先方に向かって幅寸法が小さくなる先細り形状とされている請求項１ないし請求項１８のいずれか一項に記載の表示装置。
【請求項２０】
前記第１接触部は、前記コンタクト部を周方向に等分する位置に設けられている請求項１ないし請求項１９のいずれか一項に記載の表示装置。
【請求項２１】
前記照明装置は、複数の光源と、該光源を収容する筐体とを有し、
前記コンタクト部は、前記筐体に係止する筐体係止部を有しており、
前記筐体係止部は、前記コンタクト部を周方向に等分する位置に設けられている請求項１ないし請求項２０のいずれか一項に記載の表示装置。
【請求項２２】
前記照明装置は、複数の光源と、該光源を収容する筐体とを有し、
前記制御基板は、前記筐体の壁面に沿って配置され、
前記筐体には、前記開口部に対応する位置に貫通口が形成され、
前記コンタクト部は、前記貫通口の周縁部に対して前記制御基板が配置される側とは反対側から係止する筐体係止部と、前記貫通口の周縁部に対して前記制御基板が配置される側から係止して、前記筐体係止部との間に前記貫通口の周縁部を挟み込む筐体挟持部を有し、
前記筐体挟持部は、前記コンタクト部を周方向に等分する位置に設けられている請求項１ないし請求項２１のいずれか一項に記載の表示装置。
【請求項２３】
前記照明装置は、複数の光源と、該光源を収容する筐体とを有し、
前記制御基板は、前記筐体の壁面に沿って配置され、
前記コンタクト部は、前記開口部の周縁部に対して前記筐体とは反対側から係止する基板係止部を有し、
前記基板係止部は、前記コンタクト部を周方向に等分する位置に設けられている請求項１ないし請求項２２のいずれか一項に記載の表示装置。
【請求項２４】
前記表示パネルが液晶を用いた液晶パネルであることを特徴とする請求項１ないし請求項２３のいずれか１項に記載の表示装置。
【請求項２５】
請求項１ないし請求項２４のいずれか１項に記載の表示装置を備えることを特徴とするテレビ受信装置。
【発明の詳細な説明】
【技術分野】
【０００１】
本発明は、表示装置およびテレビ受信装置に関する。
【背景技術】
【０００２】
テレビや携帯電話、コンピュータなどのデジタル機器には、画像が表示される表示パネルを備えた表示装置が用いられている。このような表示装置の一例として、表示パネルと、表示パネルに対して光を照射する照明装置とを備えたものが知られている（例えば特許文献１）。表示パネルと照明装置とは、金属製のベゼルなどにより一体的に保持されている。照明装置は、光源と、光源を収容する筐体とを有し、表示パネルには、表示パネルの駆動を制御する制御基板が接続されている。制御基板は、表示パネルの外周に沿って配置され、ねじ等により筐体の側面に固定されている。
【０００３】
このような表示装置においては、デジタル信号の高調波が、制御基板上のパターンを通して電磁波ノイズとして空中に放射され、この電磁波が、他の電子機器の動作に影響を及ぼすことが懸念される。そこで、例えば特許文献２に記載されたような電磁波ノイズ対策を取ることがある。この電磁波ノイズ対策は、制御基板に設けたグランドパターンに、ガスケット（導電性シール）を貼り付け、このガスケットにベゼルを密着させることで、制御基板のグランドを強化し、電磁波ノイズを減少させる方法である。
【先行技術文献】
【特許文献】
【０００４】
【特許文献１】特開２００７−２２６０６８号公報
【特許文献２】特開２００２−１０７６９６号公報
【発明の概要】
【発明が解決しようとする課題】
【０００５】
上記のような電磁波ノイズ対策を取る場合、ベゼルと制御基板との両側にガスケットを確実に密着させるために、比較的厚さ寸法の大きいガスケットを使用する必要がある。しかしながら、厚さ寸法の大きいガスケットは、ベゼルを組み付ける際に外れやすく、また、貼り付け具合にばらつきが生じやすいという難点があるため、制御基板のグランドパターンとベゼルとの接触が不十分になるおそれがある。これらの接触が不十分であると、電磁波ノイズを十分に減少させることができないので、このような事態を回避するべく、電磁波ノイズ対策を強化したいという要望があった。
【０００６】
本発明は上記のような事情に基づいて完成されたものであって、電磁波ノイズ対策を強化することが可能な表示装置およびテレビ受信装置を提供することを目的とする。
【課題を解決するための手段】
【０００７】
本発明の表示装置は、画像が表示される表示パネルと、前記表示パネルに対して光を照射する照明装置と、前記表示パネルと前記照明装置とを一体的に保持する導電性の保持部材とを備え、前記表示パネルには、この表示パネルの駆動を制御する制御基板が接続され、前記制御基板には、グランドパターンと、前記制御基板の厚さ方向に貫通する開口部と、前記開口部に嵌合され、前記グランドパターンと前記保持部材とを接続するコンタクト部と、が形成され、前記コンタクト部は、前記制御基板に形成された前記グランドパターンに接触する第１接触部と、前記保持部材に接触する第２接触部とを有している。
【０００８】
このような構成によれば、制御基板のグランドパターンと導電性を有する保持部材とが、コンタクト部を介して導通接続された状態になる。したがって、厚さ寸法の大きいガスケットを使用しなくても、制御基板のグランドを強化することができるから、電磁波ノイズ対策を強化することができる。
【０００９】
また、前記グランドパターンは、前記開口部の開口内壁面に形成された接続部を有し、
前記第１接触部は、前記コンタクト部の側面に突出して設けられて前記接続部に接触するものとしてもよい。
また、前記照明装置は、複数の光源と、該光源を収容する筐体とを有し、前記制御基板は、前記筐体の壁面に沿って配置され、前記保持部材は、前記制御基板の前記筐体とは反対側に位置する覆部を有し、前記第２接触部は、前記コンタクト部の前記筐体とは反対側の端部に設けられて前記覆部に接触するものとしてもよい。
【００１０】
また、前記コンタクト部は、前記筐体に係止する筐体係止部を有し、前記制御基板を前記前記筐体に固定するものとしてもよい。このような構成によれば、制御基板のグランドパターンと保持部材とを導通接続するコンタクト部が、制御基板を筐体に固定する固定部材を兼ねるから、これらを別部材として要する場合に比べ、部品点数の増加を防止できる。
また、前記筐体には、前記開口部に対応する位置に貫通口が形成され、前記コンタクト部は、前記開口部および前記貫通口に挿入されるものであり、前記筐体係止部は、前記貫通口の周縁部に対して前記制御基板が配置される側とは反対側から係止するものとしてもよい。
【００１１】
また、前記コンタクト部は、前記制御基板側から前記筐体側へ向かって挿入されるものであって、前記筐体係止部は、前記コンタクト部の挿入方向の先方から後方へ向かって少しずつ側方に突出し、その後端が前記貫通口の周縁部に係止するものとしてもよい。このような構成によれば、コンタクト部の挿入作業を容易に行うことができる。
また、前記コンタクト部は、前記貫通口の周縁部に対して前記制御基板が配置される側から係止して、前記筐体係止部との間に前記貫通口の周縁部を挟み込む筐体挟持部を有しているものとしてもよい。このような構成によれば、筐体に対してコンタクト部がガタつきにくいから、振動等に対して有利なものとすることができる。
【００１２】
また、前記コンタクト部は、前記制御基板側から前記筐体側へ向かって挿入されるものであって、前記開口部は前記貫通口よりも開口面積が大きく形成され、前記コンタクト部のうち前記開口部に嵌合する本体部の一部分が、前記筐体挟持部を構成しているものとしてもよい。
また、前記コンタクト部は、前記筐体側から前記制御基板側へ向かって挿入されるものであって、前記筐体挟持部は、前記コンタクト部の側面に突出して設けられ、その表面は曲面とされているものとしてもよい。このような構成によれば、筐体挟持部が貫通口に引っ掛かりにくいから、コンタクト部をスムーズに挿入することができる。
【００１３】
前記コンタクト部は、前記筐体側から前記制御基板側へ向かって挿入されるものであって、前記筐体挟持部は、前記コンタクト部の挿入方向の先方から後方に向かって少しずつ側方に突出し、その後端が前記貫通口の周縁部に係止するものとしてもよい。このような構成によれば、筐体挟持部が貫通口に引っ掛かりにくいから、コンタクト部をスムーズに挿入することができる。
また、前記コンタクト部は、前記開口部の周縁部に対して前記筐体とは反対側から係止する基板係止部を有しているものとしてもよい。このような構成によれば、制御基板の筐体とは反対側への変位を規制することができる。
【００１４】
また、前記コンタクト部は、前記筐体側から前記制御基板側へ向かって挿入されるものであって、前記基板係止部は、前記コンタクト部の挿入方向の先方から後方に向かって少しずつ側方に突出し、その後端が前記開口部の周縁部に係止するものとしてもよい。このような構成によれば、コンタクト部を挿入するときに基板係止部が引っ掛かりにくいから、コンタクト部をスムーズに挿入することができる。
【００１５】
また、前記第２接触部は、前記保持部材に対して弾性的に接触するものとしてもよい。
また、前記第２接触部は、前記コンタクト部の一部分を前記保持部材側に切り起こすことで形成され、前記保持部材との接触方向に弾性変形可能とされたものとしてもよい。
また、前記コンタクト部は筒状をなし、前記コンタクト部の内部には、その軸方向に弾性変形可能な弾性部材が収容され、前記弾性部材の前記軸方向の一端側にはピストン部が備えられ、前記第２接触部は、前記ピストン部に設けられて前記弾性部材が弾性収縮した状態で前記保持部材に接触するものとしてもよい。
また、前記第２接触部は、前記ピストン部の先端に設けられ、前記保持部材との接触方向に尖った形状をなしているものとしてもよい。
【００１６】
また、前記コンタクト部のうち少なくとも前記第２接触部は形状記憶合金からなるものとしてもよい。このような構成によれば、表示装置を組み立てる際に第２接触部を変形させたとしても、加熱によりもとの形状に復帰させることができる。
また、前記第２接触部は、前記保持部材との接触方向に尖った形状をなしているものとしてもよい。
【００１７】
また、前記コンタクト部のうち前記貫通口内に位置する部分は、前記貫通口の幅寸法と同等の幅寸法を有しているものとしてもよい。このような構成によれば、筐体に対してコンタクト部がガタつきにくいから、振動等に対して有利なものとすることができる。
また、前記コンタクト部の挿入方向の先端部は、先方に向かって幅寸法が小さくなる先細り形状としてもよい。このような構成によれば、コンタクト部の嵌合作業をスムーズに行うことができる。
【００１８】
また、前記第１接触部は、前記コンタクト部を周方向に等分する位置に設けられているものとしてもよい。
また、前記筐体係止部は、前記コンタクト部を周方向に等分する位置に設けられているものとしてもよい。
また、前記筐体挟持部は、前記コンタクト部を周方向に等分する位置に設けられているものとしてもよい。
また、前記基板係止部は、前記コンタクト部を周方向に等分する位置に設けられているものとしてもよい。
また、前記表示パネルが液晶を用いた液晶パネルであるものとしてもよい。
本発明のテレビ受信装置は、前記表示装置を備える。
【発明の効果】
【００１９】
本発明によれば、電磁波ノイズ対策を強化することが可能な表示装置およびテレビ受信装置を提供することができる。
【図面の簡単な説明】
【００２０】
【図１】実施形態１にかかるテレビ受信装置の概略構成を示す分解斜視図
【図２】液晶表示装置の概略構成を示す分解斜視図
【図３】筐体の表側に配置された状態の液晶パネルを示す平面図
【図４】ドライバ基板が筐体に取り付けられる前の状態を示す液晶表示装置の一部拡大斜視図
【図５】コンタクト部が開口部に嵌合される前の状態を示す液晶表示装置の一部拡大斜視図
【図６】コンタクト部が開口部に嵌合された後の状態を示す液晶表示装置の一部拡大斜視図
【図７】ドライバ基板が筐体に取り付けられる前の状態を示す液晶表示装置の一部拡大側面図
【図８】コンタクト部が開口部に嵌合される前および嵌合された後の状態を示す液晶表示装置の一部拡大側面図
【図９】コンタクト部の第２接触部がベゼルに接触した状態を示す液晶表示装置の一部拡大断面図
【図１０】コンタクト部の第１接触部がドライバ基板のグランドパターンに接触し、第２接触部がベゼルに接触した状態を示す液晶表示装置の一部拡大断面図であって、図９のＡ−Ａ位置における断面に相当する断面図
【図１１】実施形態２にかかるコンタクト部の第２接触部がベゼルに接触した状態を示す液晶表示装置の一部拡大断面図
【図１２】コンタクト部の基板係止部が開口部の周縁部に係止した状態を示す液晶表示装置の一部拡大断面図であって、図１１のＢ−Ｂ位置における断面に相当する断面図
【図１３】実施形態３にかかるコンタクト部の概略構成を示す外観斜視図
【図１４】コンタクト部が開口部および貫通口に挿入された状態を示す液晶表示装置の一部拡大側面図
【図１５】コンタクト部の第１接触部がドライバ基板のグランドパターンに接触した状態を示す液晶表示装置の一部拡大断面図であって、図１４のＣ−Ｃ位置における断面に相当する断面図
【図１６】コンタクト部の筐体挟持部が貫通口の周縁部に係止した状態を示す液晶表示装置の一部拡大断面図であって、図１４のＤ−Ｄ位置における断面に相当する断面図
【図１７】実施形態４にかかるコンタクト部の概略構成を示す外観斜視図
【図１８】コンタクト部の筐体挟持部が貫通口の周縁部に係止した状態を示す液晶表示装置の一部拡大断面図
【図１９】実施形態５にかかるコンタクト部の概略構成を示す外観斜視図
【図２０】コンタクト部の基板係止部が開口部の周縁部に係止した状態を示す液晶表示装置の一部拡大断面図
【図２１】実施形態６にかかるコンタクト部の概略構成を示す外観斜視図
【図２２】コンタクト部の概略構成を示す側断面図
【図２３】コンタクト部の第２接触部がベゼルに弾性的に接触した状態を示す液晶表示装置の一部拡大断面図
【図２４】他の実施形態（７）にかかるコンタクト部の概略構成を示す側面図
【図２５】他の実施形態（８）にかかるコンタクト部の第２接触部がベゼルに接触した状態を示す液晶表示装置の一部拡大断面図
【図２６】コンタクト部の筐体係止部が筐体に係止した状態を示す液晶表示装置の一部拡大断面図であって、図２５のＥ−Ｅ位置における断面に相当する断面図
【図２７】他の実施形態（９）にかかるコンタクト部の基板係止部が開口部の周縁部に係止した状態を示す液晶表示装置の一部拡大断面図
【発明を実施するための形態】
【００２１】
＜実施形態１＞
以下、本発明を具体化した実施形態１について、図１〜図１０を参照しつつ詳細に説明する。本実施形態では、液晶表示装置１０（表示装置）を備えるテレビ受信装置ＴＶについて例示する。テレビ受信装置ＴＶは、図１に示すように、液晶表示装置１０と、液晶表示装置１０を表裏から挟むようにして収容するキャビネットＣａ，Ｃｂと、電源Ｐと、テレビ放送などを受信するためのチューナーＴと、スタンドＳとを備えている。液晶表示装置１０は、表示面１１Ａを略鉛直方向に向けた縦置き姿勢でキャビネットＣａ，Ｃｂに収容されている。以下、各構成部材において、図１の左下側（テレビ受信装置ＴＶの正面側、表示面１１Ａ側）を表方、右上側を裏方、上側を上方、下側を下方として説明する。なお、図面には、表方をＺ軸正方向、上方をＹ軸正方向、テレビ受信装置ＴＶに向かって右方をＸ軸正方向として示した。
【００２２】
液晶表示装置１０は、全体として横長な矩形状をなし、画像を表示可能な液晶パネル（表示パネル）１１と、液晶パネル１１に向けて光を照射する外部光源であるバックライト装置（照明装置）３０とを有し、これらがベゼル（保持部材）４０等により一体的に保持されてなる（図２参照）。
【００２３】
液晶パネル１１は、横長の矩形状をなす一対の透明な（透光性を有する）ガラス製の基板１２，１３と、両基板１２，１３の間に介在し、電圧印加に伴って光学特性が変化する液晶層（図示せず）とを有している。両基板１２，１３は、表側がＣＦ基板１２、裏側がアレイ基板１３とされている。
【００２４】
アレイ基板１３には、互いに直交するソース配線とゲート配線とに接続されたスイッチング素子（例えばＴＦＴ）と、そのスイッチング素子に接続された画素電極等とが設けられ、ＣＦ基板１２には、対向電極と、Ｒ，Ｇ，Ｂ等の各着色部が所定配列で配置されたカラーフィルタ等が設けられている。
【００２５】
アレイ基板１３はＣＦ基板１２よりも一回り大きい形状に形成され、その周縁部のうちＣＦ基板１２の周縁よりも外側に突出した縁部には、外部回路と接続される端子部（図示せず）が設けられている。なお、両基板１２，１３の外面側には、それぞれ表裏一対の偏光板（図示せず）が配されている。
【００２６】
液晶パネル１１の周囲には、図３に示すように、複数（本実施形態では３枚）のドライバ基板（制御基板）２０が配置され、ドライバ基板２０と液晶パネル１１とは、複数のフレキシブル基板１４を介して接続されている。
【００２７】
フレキシブル基板１４は、可撓性を有する薄膜状のフィルム基材に、図示しない配線パターンがプリントされるとともに、液晶ドライバ集積回路として機能する半導体チップが搭載されてなる。フレキシブル基板１４としては、ＴＣＰ（Tape Carrier Package）やＣＯＦ（Chip On Film）、ＳＯＦ（System On Film）などが用いられる。
【００２８】
ドライバ基板２０は合成樹脂製であって、一方向に細長い略方形の板状をなし、その板面にはコンデンサや抵抗などの電気部品（図示せず）が実装されるとともに配線パターン（図示せず）がプリントされている。
【００２９】
ドライバ基板２０は、液晶パネル１１（アレイ基板１３）の周縁部のうち端子部が設けられた縁部に沿って配置されている。詳しくは、ドライバ基板２０は、液晶パネル１１の一対の長辺のうち下側の辺に沿って２枚、一対の短辺のうち表示面１１Ａに向かって右側の辺に沿って１枚が備えられている（図３参照）。
【００３０】
ドライバ基板２０は、液晶パネル１１の駆動を制御するものであり、フレキシブル基板１４を介して液晶パネル１１の駆動を行うためのゲート信号を液晶パネル１１に供給するゲートドライバ基板、または、液晶パネル１１の駆動を行うためのソース信号を液晶パネル１１に供給するソースドライバ基板である。
【００３１】
ドライバ基板２０は、その板面が液晶パネル１１の表示面１１Ａと略垂直になる姿勢で、液晶パネル１１の外側に離間した位置に配置され、バックライト装置３０の筐体３２に取り付けられている（図６参照）。
【００３２】
バックライト装置３０は、所謂直下型のバックライト装置であって、液晶パネル１１の背面直下に備えられている。バックライト装置３０は、複数の蛍光ランプ（光源）３１と、蛍光ランプ３１を収容する筐体３２とを有している（図２参照）。筐体３２は、板状をなす底部材３３と、この底部材３３の周縁から表側に立ち上がる壁部材３４とを有し、全体として表側が開口した浅い略箱型をなしている。
【００３３】
底部材３３は金属製であって、一方向に長い略方形をなし、底部材３３の表面に、蛍光ランプ３１が並列配置されている。蛍光ランプ３１は細長い管状をなし、その長さ方向（軸方向）を底部材３３の長手方向と一致させた状態で、かつ多数本が互いに略平行に並んだ状態で配置されている（図９参照）。
【００３４】
壁部材３４は、樹脂材料を成形加工したものであり、全体として一方向に長い略方形の枠状をなしている。壁部材３４は、底部材３３の周縁に沿って表側に立ち上がる壁板３５と、壁板３５の立ち上がり端縁から、その全周にわたり内側に突出する天井板３６とを有している（図３参照）。
【００３５】
天井板３６は、その板面が底部材３３と略平行をなし、天井板３６の幅寸法（壁板３５からの突出寸法）は、全体にわたり略一定とされている。天井板３６の表側の面には、液晶パネル１１の周縁部が載置される。
【００３６】
壁板３５は、その表裏方向の高さ寸法（底部材３３からの立ち上がり寸法）が、全体にわたり略一定とされている。壁板３５は、底部材３３の板面に対して略垂直をなし、ドライバ基板２０は、その板面が壁板３５の壁面に沿う姿勢で、筐体３２に取り付けられている（図９参照）。
【００３７】
液晶パネル１１は、筐体３２の天井板３６の表側に、弾性材料（ゴム材料や発泡樹脂材料など）からなる緩衝部材４１を介して載置されている。液晶パネル１１は、枠状の金属部材からなるベゼル４０と、バックライト装置３０の筐体３２（天井板３６）とにより、周縁部分が挟み込まれることでバックライト装置３０と一体に保持されている。なお、液晶パネル１１とベゼル４０との間にも緩衝部材４１が介在している（図９参照）。
【００３８】
ベゼル４０は金属製であって、液晶パネル１１の周縁部の表側を覆う枠部４２と、枠部４２の外周縁から裏側へ垂下し、筐体３２の側面まで至る覆部４３とを有している。枠部４２は、筐体３２の天井板３６と略平行をなし、覆部４３は、筐体３２の壁板３５と略平行をなしている。覆部４３は、筐体３２の壁板３５の大部分を覆うことが可能な寸法を有し、ドライバ基板２０の筐体３２とは反対側に位置して、ドライバ基板２０の外側の全体を覆っている。
【００３９】
さて、ドライバ基板２０には、図７に示すように、ドライバ基板２０を厚さ方向に貫通する開口部２１が形成されている。開口部２１は、各ドライバ基板２０の長手方向の両端部に形成されている。各開口部２１は、ドライバ基板２０の短手方向に長い略長方形をなし、その４つの角部２１Ａは円弧形状に形成されている。一のドライバ基板２０に形成された一対の開口部２１は、ほぼ同じ形状および同じ大きさとされ、ドライバ基板２０の長手方向の中心線を挟んで対称をなしている。
【００４０】
ドライバ基板２０には、グランドパターン２２が形成されている。グランドパターン２２は、ドライバ基板２０の長手方向の両端部であって各開口部２１の周縁部に形成されている。詳しくは、グランドパターン２２は、ドライバ基板２０の表裏両面のうち一方の面（筐体３２とは反対側に配される面）から開口部２１を形成する開口内壁面２３にわたって形成されている（図１０参照）。なお、グランドパターン２２のうち開口部２１の開口内壁面２３に形成された部分を接続部２２Ａと称する。
【００４１】
グランドパターン２２は、開口部２１の長手方向における中央部分から両側方に広がるように形成され、開口部２１を挟んで対称をなしている。開口部２１の両側に形成されたグランドパターン２２は、それぞれドライバ基板２０の長手方向に長い長方形状とされ、その幅寸法は、接続部２２Ａを含む全体にわたって略一定とされている。グランドパターン２２（接続部２２Ａ）の幅寸法は、開口部２１の長辺のうち直線部２１Ｂの大部分を占める寸法である。接続部２２Ａは、開口部２１の開口内壁面２３の全体のうち長辺の直線部２１Ｂのみに形成されている。
【００４２】
そして、筐体３２には、ドライバ基板２０の開口部２１に対応する位置に貫通口３７が形成されている（図７参照）。詳しくは、貫通口３７は、筐体３２の壁部材３４のうち各ドライバ基板２０の長手方向の端部に対応する位置に一ずつ、すなわち長辺壁部３４Ａにおいては、２枚のドライバ基板２０の両端部に対応する４か所に一ずつ、短辺壁部３４Ｂにおいては、１枚のドライバ基板２０の両端部に対応する２か所に一ずつ設けられている。各貫通口３７は、各開口部２１の長手方向の中央部、すなわち開口部２１のうちグランドパターン２２が形成されている部分に対応する位置に形成されている。
【００４３】
各貫通口３７は、壁部材３４の壁板３５を壁厚方向に貫通して形成され、壁部材３４の周方向に若干長い略長方形をなし、４つの角部３７Ａは円弧形状に形成されている。貫通口３７の開口面積は、開口部２１の開口面積よりも小さくされている。貫通口３７の長手方向の開口寸法は、開口部２１の短手方向の開口寸法と同等とされ、貫通口３７の短手方向の開口寸法は、開口部２１の長手方向の開口寸法よりも小さく（半分程度）、グランドパターン２２の幅寸法と同等とされている。そして、ドライバ基板２０を筐体３２の壁板３５に沿わせた状態では、貫通口３７の周縁部の一部分が、開口部２１の内側に位置して開口部２１の長手方向の両端部を塞ぐ（図８参照）。このとき、貫通口３７の全体は、開口部２１を介して筐体３２の内側へ開放された状態になる。貫通口３７の周縁部のうち開口部２１を塞ぐ部分は、貫通口３７の表裏両側に位置する部分であって、この部分は、後述するコンタクト部５０の本体部５３が当接する当接部３８となる。
【００４４】
ドライバ基板２０の開口部２１には、グランドパターン２２とベゼル４０とを接続するコンタクト部５０が嵌合されている。コンタクト部５０は、図５に示すように、金属製の板材をＵ字状に折り返してなる板ばねであって、対向して配置される一対の対向部５１と、この対向部５１の一端同士を連結する連結部５２とを有し、一対の対向部５１は、互いに接近および離間方向に弾性変形可能とされている。なお、金属材料としては、例えば、ステンレス鋼（ＳＵＳ）、アルミ合金（５０００系、１０００系等）、銅合金（ベリリウム銅等）、鋼板等を用いることができる。
【００４５】
コンタクト部５０は、一対の対向部５１の対向方向が開口部２１の短辺方向と一致する向き（各対向部５１がグランドパターン２２と対向する向き）で、ドライバ基板２０側から筐体３２側（開口部２１側から貫通口３７側）へ向かって挿入される。コンタクト部５０は、図９に示すように、ドライバ基板２０の厚さ寸法と筐体３２の壁板３５の厚さ寸法とを加算した寸法よりも大きい長さ寸法を有し、筐体３２に固定された状態では、その長手方向の両端部が、筐体３２の内側およびドライバ基板２０の外側にそれぞれ突出する。
【００４６】
コンタクト部５０は、ドライバ基板２０の開口部２１内に位置する本体部５３と、筐体３２の貫通口３７内に位置する脚部５４とを有している。コンタクト部５０は、脚部５４を挿入方向の先方に向けた姿勢で、開口部２１から貫通口３７側に挿入される。
【００４７】
本体部５３を側方（対向部５１の対向方向）から見ると、一方向に長い長方形状をなし、その長手方向の寸法は、開口部２１の長辺の開口寸法と同等の寸法とされている。この本体部５３の長手方向の両端部は、貫通口３７の周縁部の当接部３８に対してドライバ基板２０が配置される側から当接し、後述する筐体係止部５８との間に貫通口３７の周縁部を挟み込む筐体挟持部５５を構成している。また、本体部５３の短手方向の寸法は、ドライバ基板２０の厚さ寸法よりも大きい寸法とされている。コンタクト部５０が開口部２１に嵌合した状態では、本体部５３はドライバ基板２０の外側に突出する。そして、コンタクト部５０の連結部５２は、ベゼル４０の覆部４３の配置位置に接近して配される。詳しくは、連結部５２は、ドライバ基板２０とベゼル４０の覆部４３との間の間隔において、その中間位置よりも覆部４３側に寄った位置に配置される。
【００４８】
脚部５４は、本体部５３の長辺の中央部から突出し、その幅寸法は、貫通口３７の短辺のうち角部３７Ａを除く部分（直線部３７Ｂ）の長さ寸法と同等の寸法とされている。
連結部５２は、長方形状をなし、その長辺は、本体部５３の長手方向の寸法と同等の寸法であり、短辺は、貫通口３７の長手方向の寸法と同等の寸法とされている。
【００４９】
コンタクト部５０は、ドライバ基板２０に形成されたグランドパターン２２の接続部２２Ａに対して弾性的に接触する第１接触部５６を有している。第１接触部５６は、図１０に示すように、本体部５３に設けられ、詳しくは、本体部５３の長手方向の中央位置であって脚部５４寄りの位置に形成されている。第１接触部５６は、本体部５３の一部分を外側に叩き出すことにより形成され、第１接触部５６を側方（対向部５１の対向方向）から見ると、本体部５３の幅方向に長い長円形状をなしている。第１接触部５６の長手方向寸法は、脚部５４の幅寸法と同等であって、グランドパターン２２の幅寸法と同等もしくは若干小さい寸法とされている（図８参照）。本体部５３の長手方向から見た断面形状は、半円形状をなしている（図１０参照）。第１接触部５６の対向部５１からの突出寸法は、筐体係止部５８の同突出寸法よりも若干小さい寸法とされている。なお、第１接触部５６は、コンタクト部５０が筐体３２に固定された状態では、開口部２１の貫通方向の中央よりも若干筐体３２側に寄って位置する。
【００５０】
コンタクト部５０は、ベゼル４０の覆部４３に対して弾性的に接触する第２接触部５７を有している。第２接触部５７は、図８に示すように、コンタクト部５０の連結部５２に設けられ、連結部５２の一部分を外側（対向部５１の延出側とは反対側）に切り起こして形成されている。第２接触部５７は、連結部５２の長手方向の一端寄りの位置から他端寄りの位置に向って片持ち状に延出するものである（図９参照）。第２接触部５７は、連結部５２の一端側から他端側に向かって連結部５２からの突出寸法が少しずつ大きくなるとともに、先端部が連結部５２側に折り曲げられた山状に形成されている。第２接触部５７のうち自由端側の頂点部分が、ベゼル４０に接触する接点部５７Ａである。第２接触部５７は、連結部５２に接近および離間する方向（ベゼル４０との接触方向）に弾性変形可能なものとされ、自然状態では、接点部５７Ａがベゼル４０の配置位置に突出し、ベゼル４０に押圧されると、その突出高さが小さくなる方向に弾性変形する。なお、コンタクト部５０は、第２接触部５７の基端が表側に、自由端が裏側に配される向きで、筐体３２に取り付けられる。
【００５１】
コンタクト部５０は、筐体３２に係止する筐体係止部５８を有している（図１０参照）。筐体係止部５８は、脚部５４の先端（本体部５３とは反対側の端）寄りの位置に形成されている。筐体係止部５８は、曲げ加工により、脚部５４の一部分を、その全幅にわたり外側（相対する対向部５１とは反対側）に突出させて形成したものである。各筐体係止部５８は、半円形断面をなして突出し、その突出端面は曲面とされている。筐体係止部５８は、各脚部５４に一ずつ、互いに対向する位置に形成されている。筐体係止部５８は、貫通口３７の周縁部に対して内側（ドライバ基板２０が配置される側とは反対側）から係止し、コンタクト部５０の貫通口３７からの抜け止めを図る。
【００５２】
次に、本実施形態の液晶表示装置１０の電磁波ノイズ対策の取り方について説明する。
最初に、ドライバ基板２０を筐体３２に取り付ける。
まず、ドライバ基板２０の開口部２１が、筐体３２の貫通口３７の外側に連なるように、ドライバ基板２０を位置合わせして、筐体３２の壁板３５に沿って配置する（図８参照）。すると、図８の左側に示したように、開口部２１から、貫通口３７およびその周縁部（当接部３８）が露出した状態になる。なお、図８の右側には、開口部２１および貫通口３７にコンタクト部５０が挿入されている状態を示した。
【００５３】
次いで、コンタクト部５０を開口部２１に挿入する。すると、コンタクト部５０の脚部５４が開口部２１を通って貫通口３７内に入り、筐体係止部５８が貫通口３７の周縁に当たると、一対の対向部５１が接近方向に弾性変形する。引き続きコンタクト部５０を挿入すると、本体部５３が開口部２１に嵌合し、第１接触部５６がグラドパターンの接続部２２Ａと対向する位置に到る。そして、筐体係止部５８が貫通口３７を通り抜けると同時に対向部５１が弾性復帰し、筐体係止部５８が貫通口３７の周縁部に係止するとともに、第１接触部５６がグランドパターン２２の接続部２２Ａに弾性的に押しつけられる。このとき、コンタクト部５０の本体部５３（筐体挟持部５５）が当接部３８に当接する。こうして、コンタクト部５０が筐体３２に固定され、ドライバ基板２０が筐体３２に取り付けられた状態になる。
【００５４】
次いで、ベゼル４０を用いて筐体３２と液晶パネル１１とを一体に組み付ける。
まず、筐体３２の天井板３６に液晶パネル１１を載置し、その表側にベゼル４０を設置する。すると、図９に示すように、ベゼル４０の覆部４３が、コンタクト部５０の第２接触部５７に接触し、第２接触部５７をドライバ基板２０側に弾性変形させた状態になる。
次に、ネジ等によりベゼル４０を筐体３２に固定する。すると、ベゼル４０の覆部４３が第２接触部５７に弾性的に接触した状態で、ベゼル４０と筐体３２とが一体に組み付けられる。
【００５５】
以上により、コンタクト部５０の第１接触部５６がグランドパターン２２の接続部２２Ａに弾性的に接触し、第２接触部５７がベゼル４０の覆部４３に弾性的に接触した状態になり、ドライバ基板２０のグランドパターン２２とベゼル４０とが、コンタクト部５０を介して導通接続され、ドライバ基板２０のグランドが強化される。
【００５６】
なお、ドライバ基板２０を筐体３２から取り外す際には、ベゼル４０を取り外した後、コンタクト部５０を外側へ引き抜けばよい。このときコンタクト部５０の対向部５１は弾性復帰するので、ドライバ基板２０を筐体３２に対して繰り返し着脱することができる。
【００５７】
上記のように構成された実施形態１によれば、以下の効果を奏する。
画像が表示される液晶パネル１１と、液晶パネル１１に対して光を照射するバックライト装置３０と、液晶パネル１１とバックライト装置３０とを一体的に保持する導電性のベゼル４０とを備え、液晶パネル１１には、この液晶パネル１１の駆動を制御するドライバ基板２０が接続され、ドライバ基板２０には、グランドパターン２２と、ドライバ基板２０の厚さ方向に貫通する開口部２１と、開口部２１に嵌合され、グランドパターン２２とベゼル４０とを接続するコンタクト部５０と、が形成され、コンタクト部５０は、ドライバ基板２０に形成されたグランドパターン２２に接触する第１接触部５６と、ベゼル４０に接触する第２接触部５７とを有している。
【００５８】
これにより、ドライバ基板２０のグランドパターン２２と導電性を有するベゼル４０とが、コンタクト部５０を介して導通接続された状態になる。したがって、厚さ寸法の大きいガスケットを使用しなくても、ドライバ基板２０のグランドを強化することができるから、電磁波ノイズ対策を強化することができる。
【００５９】
また、コンタクト部５０は、筐体３２に係止する筐体係止部５８を有し、ドライバ基板２０を筐体３２に固定するものである。これにより、ドライバ基板２０のグランドパターン２２とベゼル４０とを導通接続するコンタクト部５０が、ドライバ基板２０を筐体３２に固定する固定部材を兼ねるから、これらを別部材として要する場合に比べ、部品点数の増加を防止することができる。
【００６０】
また、コンタクト部５０は、貫通口３７の周縁部に対してドライバ基板２０が配置される側から係止し、筐体係止部５８との間に貫通口３７の周縁部を挟み込む筐体挟持部５５を有している。これにより、筐体３２に対してコンタクト部５０がガタつきにくいから、振動等に対して有利なものとすることができる。
【００６１】
また、コンタクト部５０のうち貫通口３７内に位置する脚部５４は、貫通口３７の幅寸法と同等の幅寸法を有している。これにより、筐体３２に対してコンタクト部５０がガタつきにくいから、振動等に対して有利なものとすることができる。
【００６２】
＜実施形態２＞
次に、本発明を具体化した実施形態２に係る液晶表示装置１０を図１１および図１２によって説明する。
本実施形態の液晶表示装置１０は、コンタクト部５０が、開口部２１の周縁部に対して外側（筐体３２とは反対側）から係止する基板係止部６０を有している点で、実施形態１とは相違する。なお、実施形態１と同様の構成には同一符号を付して重複する説明を省略する。
【００６３】
本実施形態に係る液晶表示装置１０は、実施形態１と同様に、液晶パネル１１と、バックライト装置３０とを有し、これらがベゼル４０等により一体的に保持されてなるものであって、液晶パネル１１の周囲には、複数のドライバ基板２０が配置され、ドライバ基板２０と液晶パネル１１とは、複数のフレキシブル基板１４を介して接続されている。また、ドライバ基板２０には、実施形態１と同様、開口部２１とグランドパターン２２とが形成され、筐体３２には、貫通口３７が形成されている。
【００６４】
そして、実施形態１と同様、ドライバ基板２０の開口部２１には、グランドパターン２２とベゼル４０とを接続するコンタクト部５０が嵌合されている。コンタクト部５０は、実施形態１と同様、一対の対向部５１と連結部５２とからなり、開口部２１内に位置する本体部５３と、貫通口３７内に位置する脚部５４とを有している。また、コンタクト部５０は、実施形態１と同様、ドライバ基板２０に形成されたグランドパターン２２の接続部２２Ａに対して弾性的に接触する第１接触部５６と、ベゼル４０の覆部４３に対して弾性的に接触する第２接触部５７と、筐体３２に係止する筐体係止部５８とを有している。
【００６５】
加えて、本実施形態のコンタクト部５０は、開口部２１の周縁部に対して外側（筐体３２とは反対側）から係止する基板係止部６０を有している。基板係止部６０は、本体部５３のうち連結部５２側の端部に設けられ、図１２に示すように、本体部５３から外側（相対する対向部５１とは反対側）に突出している。基板係止部６０は、ドライバ基板２０よりも外側の位置において開口部２１の周縁部と対向する。基板係止部６０は、本体部５３の端部を、全幅にわたり断面コの字状をなすように折り曲げて形成されている。詳しくは、基板係止部６０は、本体部５３に対して略垂直に立ち上がる一対の突出部６１と、突出部６１の突出端同士をつなぐ突出端部６２とからなり、一対の突出部６１同士は略平行をなし、突出部６１と突出端部６２とは略直角をなしている。一対の突出部６１のうち第２接触部５７側の突出部６１は、連結部５２の一部分（長手方向の両端部）を構成し、第１接触部５６側の突出部６１は、開口部２１の周縁部（グランドパターン２２）に当接する。なお、本体部５３に形成された基板係止部６０は、第２接触部５７を挟んで対称形状をなしている。
【００６６】
以上説明したように本実施形態によれば、ドライバ基板２０には、グランドパターン２２と、開口部２１と、コンタクト部５０とが形成され、コンタクト部５０は、ドライバ基板２０に形成されたグランドパターン２２に接触する第１接触部５６と、ベゼル４０に接触する第２接触部５７とを有しているから、実施形態１と同様に、厚さ寸法の大きいガスケットを使用しなくても、ドライバ基板２０のグランドを強化することができ、もって電磁波ノイズ対策を強化することができる。
【００６７】
加えて、コンタクト部５０は、開口部２１の周縁部に対して外側（筐体３２とは反対側）から係止する基板係止部６０を有しているから、ドライバ基板２０の外側（筐体３２とは反対側）への変位を規制することができるので、より確実にドライバ基板２０を筐体３２に固定した状態に保持することができる。
【００６８】
＜実施形態３＞
次に、本発明を具体化した実施形態３に係る液晶表示装置１０を図１３〜図１６によって説明する。
本実施形態の液晶表示装置１０は、コンタクト部７０が、筐体３２側からドライバ基板２０側へ向かって挿入されるものである点で、実施形態１とは相違する。なお、実施形態１と同様の構成には同一符号を付して重複する説明を省略する。
【００６９】
本実施形態に係る液晶表示装置１０は、実施形態１と同様に、液晶パネル１１と、バックライト装置３０とを有し、これらがベゼル４０等により一体的に保持されてなるものであって、液晶パネル１１の周囲には、複数のドライバ基板２０が配置され、ドライバ基板２０と液晶パネル１１とは、複数のフレキシブル基板１４を介して接続されている。また、ドライバ基板２０には、実施形態１と同様、開口部７１とグランドパターン７２とが形成され、筐体３２には、貫通口７３が形成されている。
【００７０】
開口部７１は、各ドライバ基板２０の長手方向の両端部に形成され、図１４に示すように、略円形をなしている。一のドライバ基板２０に形成された一対の開口部７１は、ほぼ同じ形状および同じ大きさとされ、ドライバ基板２０の長手方向の中心線を挟んで対称をなしている。
【００７１】
グランドパターン７２は、実施形態１と同様、各開口部７１の周縁部に形成され、ドライバ基板２０の表裏両面のうち一方の面（筐体３２とは反対側に配される面）から開口部７１を形成する開口内壁面７１Ａにわたって形成されている。グランドパターン７２は、開口部７１の全周にわたり形成され、開口内壁面７１Ａに形成された接続部７２Ａは、開口内壁面７１Ａの全体（全周および全幅）にわたって形成されている。
【００７２】
貫通口７３は、筐体３２の壁部材３４のうち各ドライバ基板２０の長手方向の端部に対応する位置に一ずつ設けられ、各貫通口７３は、壁部材３４の壁板３５を壁厚方向（表裏方向）に貫通して形成され、図１４に示すように、開口部７１よりも若干小さい略円形をなしている。ドライバ基板２０を筐体３２の壁板３５に沿わせた状態では、貫通口７３と開口部７１とが中心線を一にして連なる。
【００７３】
そして、ドライバ基板２０の開口部７１には、グランドパターン７２とベゼル４０とを接続するコンタクト部７０が嵌合されている。コンタクト部７０は、金属材料により、筒状または中実の柱状に形成され、その断面形状は略円形をなしている。
【００７４】
コンタクト部７０は、筐体３２側からドライバ基板２０側（貫通口７３側から開口部７１側）へ向かって挿入されるものである。コンタクト部７０は、図３に示すように、筐体３２の壁板３５の厚さ寸法とドライバ基板２０の厚さ寸法とを加算した寸法よりも大きい長さ寸法を有している。
【００７５】
コンタクト部７０の長手方向の一端部（頭部７０Ａと称する）は、図１３に示すように、先端へ向かって幅寸法が少しずつ小さくなる円錐形状とされ、この一端部を除く部分（胴部７０Ｂと称する）は、幅寸法が略一定の円筒状とされている。コンタクト部７０は、頭部７０Ａを挿入方向の先方に向けた姿勢で、貫通口７３から開口部７１側に挿入される。
【００７６】
コンタクト部７０の胴部７０Ｂには、ドライバ基板２０に形成されたグランドパターン７２の接続部７２Ａに対して弾性的に接触する第１接触部７４が設けられている。第１接触部７４は、図１５に示すように、胴部７０Ｂの長手方向の略中央位置、言い換えると、ドライバ基板２０の厚さ方向の略中央に対応する位置に形成されている。第１接触部７４は、胴部７０Ｂの軸線を挟んで対称位置（胴部７０Ｂを周方向に２等分する位置）に一対が設けられている（図１４参照）。第１接触部７４は、胴部７０Ｂの一部分を外側に叩き出す等により形成され、第１接触部７４の断面形状は、半円形状をなし、その表面は曲面とされている。また、第１接触部７４を側方（胴部７０Ｂの法線方向）から見ると略円形をなしている（図１６参照）。
【００７７】
コンタクト部７０の頭部７０Ａの先端は、ベゼル４０の覆部４３に対して接触する第２接触部７５とされている。第２接触部７５は、頭部７０Ａの軸方向（ベゼル４０との接触方向）に尖った形状をなしている。第２接触部７５は、コンタクト部７０の中心軸上に位置している。
【００７８】
コンタクト部７０のうち頭部７０Ａとは反対側の端部には、筐体３２に係止する筐体係止部７６が設けられている。筐体係止部７６は、コンタクト部７０の胴部７０Ｂの端縁を、その全周にわたり外側に押し広げ、胴部７０Ｂの側方に突出させてなるものである。筐体係止部７６は、胴部７０Ｂの軸線に対して略垂直をなし、貫通口７３の周縁部に対して内側（ドライバ基板２０が配置される側とは反対側）から係止し、コンタクト部７０の貫通口７３からの抜け止めを図る。筐体係止部７６は、コンタクト部７０の胴部７０Ｂから一定寸法突出した円環状とされている。
【００７９】
コンタクト部７０の胴部７０Ｂのうち第１接触部７４と筐体係止部７６との間には、筐体係止部７６との間に貫通口７３の周縁部を挟み込む筐体挟持部７７が設けられている（図１６参照）。筐体挟持部７７は、胴部７０Ｂの軸線方向においては貫通口７３の表側の周縁に対応する位置、胴部７０Ｂの周方向においては胴部７０Ｂの軸線を挟んだ対称位置（胴部７０Ｂを周方向に２等分する位置）に一対が設けられている。また、各筐体挟持部７７は、胴部７０Ｂの周方向において一対の第１接触部７４の中間に当たる位置、言い換えると、第１接触部７４とは周方向に９０度ずれた位置に設けられている。筐体挟持部７７と第１接触部７４とは、胴部７０Ｂの周方向においては胴部７０Ｂを４等分する位置に設けられている。筐体挟持部７７は、第１接触部７４と同様、胴部７０Ｂの一部分を外側に叩き出す等により形成され、断面形状は半円形状をなし、その表面は曲面とされている。なお、筐体挟持部７７を側方（胴部７０Ｂの法線方向）から見ると略円形をなし（図１５参照）、筐体挟持部７７と第１接触部７４とは、ほぼ同じ大きさおよび同じ形状とされている。
【００８０】
次に、本実施形態の液晶表示装置１０の電磁波ノイズ対策の取り方について説明する。
まず、実施形態１と同様、ドライバ基板２０を筐体３２の壁板３５に沿って所定位置に配置し、コンタクト部７０を貫通口７３から開口部７１側に向けて挿入する。すると、コンタクト部７０は、第１接触部７４および筐体挟持部７７を、貫通口７３または開口部７１の内周面に接触させつつ、貫通口７３および開口部７１を通過し、やがて頭部７０Ａがドライバ基板２０の外側に突出し、筐体係止部７６が貫通口７３の周縁部に当接する。このとき、コンタクト部７０は、筐体挟持部７７が貫通口７３の外側の周縁に接触し、第１接触部７４がグランドパターン７２の接続部７２Ａに接触し、頭部７０Ａの先端（第２接触部７５）がベゼル４０の配置位置に配された状態になる。こうして、コンタクト部７０が筐体３２に固定され、ドライバ基板２０が筐体３２に取り付けられた状態になる。
【００８１】
次いで、実施形態１と同様、ベゼル４０を用いて筐体３２と液晶パネル１１とを一体に組み付ける。筐体３２の表側に液晶パネル１１を載置し、その表側にベゼル４０を設置し、ネジ等によりベゼル４０を筐体３２に固定すると、ベゼル４０の覆部４３が第２接触部７５に接触した状態で、ベゼル４０と筐体３２とが一体に組み付けられる。こうして、ドライバ基板２０のグランドパターン７２とベゼル４０とが、コンタクト部７０を介して導通接続され、ドライバ基板２０のグランドが強化される。
【００８２】
以上説明したように本実施形態によれば、ドライバ基板２０には、グランドパターン７２と、開口部７１と、コンタクト部７０とが形成され、コンタクト部７０は、ドライバ基板２０に形成されたグランドパターン７２に接触する第１接触部７４と、ベゼル４０に接触する第２接触部７５とを有しているから、実施形態１と同様に、厚さ寸法の大きいガスケットを使用しなくても、ドライバ基板２０のグランドを強化することができるので、電磁波ノイズ対策を強化することができる。
【００８３】
加えて、筐体挟持部７７および第１接触部７４の表面は曲面とされているから、筐体挟持部７７および第１接触部７４が貫通口７３に引っ掛かりにくいので、コンタクト部７０をスムーズに挿入することができる。
【００８４】
＜実施形態４＞
次に、本発明を具体化した実施形態４に係る液晶表示装置１０を図１７および図１８によって説明する。
本実施形態の液晶表示装置１０は、筐体挟持部８０が、コンタクト部７０の挿入方向の先方から後方に向かって少しずつ側方に突出し、その後端が貫通口７３の周縁部に係止するものである点で、実施形態３とは相違する。なお、実施形態３と同様の構成には同一符号を付して重複する説明を省略する。
【００８５】
本実施形態に係る液晶表示装置１０は、実施形態３と同様に、液晶パネル１１と、バックライト装置３０とを有し、これらがベゼル４０等により一体的に保持されてなるものであって、液晶パネル１１の周囲には、複数のドライバ基板２０が配置され、ドライバ基板２０と液晶パネル１１とは、複数のフレキシブル基板１４を介して接続されている。また、ドライバ基板２０には、実施形態３と同様、開口部７１とグランドパターン７２とが形成され、筐体３２には、貫通口７３が形成されている。
【００８６】
そして、ドライバ基板２０の開口部７１には、実施形態３と同様、グランドパターン７２とベゼル４０とを接続するコンタクト部７０が嵌合されている。コンタクト部７０は、実施形態３と同様、筐体３２側からドライバ基板２０側（貫通口７３側から開口部７１側）へ向かって挿入されるものであって、頭部７０Ａと胴部７０Ｂとを有し、胴部７０Ｂには第１接触部７４が設けられ、頭部７０Ａの先端は第２接触部７５とされ、コンタクト部７０のうち頭部７０Ａとは反対側の端部には筐体係止部７６が設けられている。
【００８７】
そして、コンタクト部７０の胴部７０Ｂのうち第１接触部７４と筐体係止部７６との間には、筐体係止部７６との間に貫通口７３の周縁部を挟み込む筐体挟持部８０が設けられている。筐体挟持部８０は、実施形態３と同様、胴部７０Ｂの軸線方向においては貫通口７３の表側の周縁に対応する位置（図１８参照）、胴部７０Ｂの周方向においては胴部７０Ｂの軸線を挟んだ対称位置（胴部７０Ｂを周方向に２等分する位置）に一対が設けられている。各筐体挟持部８０は、実施形態３と同様、胴部７０Ｂの周方向において一対の第１接触部７４の中間に当たる位置に設けられている。
【００８８】
筐体挟持部８０は、胴部７０Ｂの一部分を外側に切り起こす等により形成されている。筐体挟持部８０は、頭部７０Ａ側を基端、筐体係止部７６側を自由端とする片持ち状をなし、基端側から自由端側に向かって少しずつ胴部７０Ｂから離れる傾斜をなし、その自由端縁が貫通口７３の周縁部に係止する。なお、筐体挟持部８０を側方（胴部７０Ｂの法線方向）から見ると略方形をなしている。
【００８９】
以上説明したように本実施形態によれば、ドライバ基板２０には、グランドパターン７２と、開口部７１と、コンタクト部７０とが形成され、コンタクト部７０は、ドライバ基板２０に形成されたグランドパターン７２に接触する第１接触部７４と、ベゼル４０に接触する第２接触部７５とを有しているから、実施形態１と同様に、厚さ寸法の大きいガスケットを使用しなくても、ドライバ基板２０のグランドを強化することができるので、電磁波ノイズ対策を強化することができる。
【００９０】
加えて、筐体挟持部８０は、コンタクト部７０の挿入方向の先方から後方に向かって少しずつ側方に突出し、その後端が前記貫通口７３の周縁部に係止するものとされているから、筐体挟持部８０が貫通口７３に引っ掛かりにくいので、コンタクト部７０をスムーズに挿入することができる。
【００９１】
＜実施形態５＞
次に、本発明を具体化した実施形態５に係る液晶表示装置１０を図１９および図２０によって説明する。
本実施形態の液晶表示装置１０は、コンタクト部７０が、開口部７１の周縁部に対して筐体３２とは反対側から係止する基板係止部９０を有している点で、実施形態４とは相違する。なお、実施形態４と同様の構成には同一符号を付して重複する説明を省略する。
【００９２】
本実施形態に係る液晶表示装置１０は、実施形態４と同様に、液晶パネル１１と、バックライト装置３０とを有し、これらがベゼル４０等により一体的に保持されてなるものであって、液晶パネル１１の周囲には、複数のドライバ基板２０が配置され、ドライバ基板２０と液晶パネル１１とは、複数のフレキシブル基板１４を介して接続されている。また、ドライバ基板２０には、実施形態４と同様、開口部７１とグランドパターン７２とが形成され、筐体３２には、貫通口７３が形成されている。
【００９３】
そして、ドライバ基板２０の開口部７１には、実施形態４と同様、グランドパターン７２とベゼル４０とを接続するコンタクト部７０が嵌合されている。コンタクト部７０は、実施形態４と同様、筐体３２側からドライバ基板２０側（貫通口７３側から開口部７１側）へ向かって挿入されるものであって、頭部７０Ａと胴部７０Ｂとを有し、胴部７０Ｂには第１接触部７４が設けられ、頭部７０Ａの先端は第２接触部７５とされ、コンタクト部７０のうち頭部７０Ａとは反対側の端部には筐体係止部７６が設けられ、コンタクト部７０の胴部７０Ｂのうち第１接触部７４と筐体係止部７６との間には筐体挟持部８０が設けられている。
【００９４】
そして、コンタクト部７０には、開口部７１の周縁部に対して外側（筐体３２とは反対側）から係止する基板係止部９０が設けられている。基板係止部９０は、胴部７０Ｂの軸線方向においては開口部７１の外側の周縁に対応する位置（図２０参照）、胴部７０Ｂの周方向においては胴部７０Ｂの軸線を挟んだ対称位置（胴部７０Ｂを周方向に２等分する位置）に一対が設けられている。各基板係止部９０は、胴部７０Ｂの周方向において一対の筐体挟持部８０と同じ位置、すなわち一対の第１接触部７４の中間に当たる位置に設けられている。
【００９５】
基板係止部９０は、筐体挟持部８０と同様、胴部７０Ｂの一部分を外側に切り起こす等により形成され、頭部７０Ａ側を基端、筐体係止部７６側を自由端とする片持ち状をなしている。基板係止部９０は、筐体挟持部８０とほぼ同じ大きさおよび同じ形状とされ、基端側から自由端側に向かって少しずつ胴部７０Ｂから離れる傾斜をなし、その自由端縁が貫通口７３の周縁部に係止する。
【００９６】
以上説明したように本実施形態によれば、ドライバ基板２０には、グランドパターン７２と、開口部７１と、コンタクト部７０とが形成され、コンタクト部７０は、ドライバ基板２０に形成されたグランドパターン７２に接触する第１接触部７４と、ベゼル４０に接触する第２接触部７５とを有しているから、実施形態４と同様に、厚さ寸法の大きいガスケットを使用しなくても、ドライバ基板２０のグランドを強化することができるので、電磁波ノイズ対策を強化することができる。
【００９７】
加えて、コンタクト部７０は、開口部７１の周縁部に対して筐体３２とは反対側から係止する基板係止部９０を有しているから、ドライバ基板２０の外側（筐体３２とは反対側）への変位を規制することができるので、より確実にドライバ基板２０を筐体３２に固定した状態に保持することができる。
【００９８】
また、基板係止部９０は、コンタクト部７０の挿入方向の先方から後方に向かって少しずつ側方に突出し、その後端が開口部７１の周縁部に係止するものとされているから、コンタクト部７０を挿入するときに基板係止部９０が引っ掛かりにくいので、コンタクト部７０をスムーズに挿入することができる。
【００９９】
＜実施形態６＞
次に、本発明を具体化した実施形態６に係る液晶表示装置１０を図２１ないし図２３によって説明する。
本実施形態の液晶表示装置１０は、コンタクト部１３０の内部に圧縮コイルばね（弾性部材）１３１が収容され、第２接触部１３８が、圧縮コイルばね１３１の一端側に備えられた頭部（ピストン部）１３２に設けられている点で、実施形態５とは相違する。なお、実施形態５と同様の構成には同一符号を付して重複する説明を省略する。
【０１００】
本実施形態に係る液晶表示装置１０は、実施形態５と同様に、液晶パネル１１と、バックライト装置３０とを有し、これらがベゼル４０等により一体的に保持されてなるものであって、液晶パネル１１の周囲には、複数のドライバ基板２０が配置され、ドライバ基板２０と液晶パネル１１とは、複数のフレキシブル基板１４を介して接続されている。また、ドライバ基板２０には、実施形態５と同様、開口部７１とグランドパターン７２とが形成され、筐体３２には、貫通口７３が形成されている。
【０１０１】
そして、ドライバ基板２０の開口部７１には、実施形態５と同様、グランドパターン７２とベゼル４０とを接続するコンタクト部１３０が嵌合されている。コンタクト部１３０は、実施形態５と同様、筐体３２側からドライバ基板２０側（貫通口７３側から開口部７１側）へ向かって挿入されるものであって、頭部１３２と胴部１３３とを有してなる。
【０１０２】
胴部１３３は、幅寸法が略一定の円筒状とされ、筐体３２の壁板３５の厚さ寸法とドライバ基板２０の厚さ寸法とを加算した寸法よりも大きい長さ寸法を有している。胴部１３３には、実施形態５と同様に、第１接触部７４、筐体係止部７６、筐体挟持部８０および基板係止部９０が設けられている。
【０１０３】
胴部１３３は、軸方向の両側に開口するものである。胴部１３３の一端側（筐体係止部７６側）は、全面開口とされ、胴部１３３の全体を軸方向に開放している。胴部１３３の他端側は、開口を塞ぐ方向（軸方向と交差方向）に端壁１３４が突出して設けられ、一部分が塞がれた形態をなしている。端壁１３４は、胴部１３３の全周にわたり形成され、胴部１３３の周縁から内側に突出するものであり、その突出寸法は周方向に略一定とされている。端壁１３４を胴部１３３の軸方向から見ると円環状をなし、その中央部が開口している（図２１参照）。端壁１３４の中央部の開口は、胴部１３３の反対側の開口よりも一回り小さい略円形状をなすものである。
【０１０４】
胴部１３３には、金属製の圧縮コイルばね１３１が収容されている。圧縮コイルばね１３１は、略一定の径寸法を有する円筒状のものであり、胴部１３３の内側にほぼ隙間なく収まるものである。圧縮コイルばね１３１は、自然状態における軸方向の長さ寸法が、胴部１３３の長さ寸法と同等の寸法とされたものである（図２２参照）。圧縮コイルばね１３１は、端壁１３４が設けられた側とは反対側の開口から胴部１３３内に挿入され、この開口に取り付けられた蓋部材１３５により、胴部１３３内に収容された状態に保持される。
【０１０５】
圧縮コイルばね１３１の軸方向の一端側（蓋部材１３５とは反対側）には、頭部１３２が備えられている。頭部１３２は、圧縮コイルばね１３１の一端に接触する略円形の板状をなす離脱規制部１３６と、この離脱規制部１３６に突出して設けられた軸部１３７とを有している。離脱規制部１３６は、胴部１３３の内側に収容され、軸部１３７は、端壁１３４の開口から外側へ突出している。
【０１０６】
離脱規制部１３６は、端壁１３４に当接して頭部１３２が胴部１３３から離脱することを規制する。なお、離脱規制部１３６は、圧縮コイルばね１３１の径寸法と同等の径寸法を有している。
【０１０７】
軸部１３７は、離脱規制部１３６の中心から略垂直方向に立ち上がるものであり、その根元側の部分（離脱規制部１３６側の部分）は、径寸法が略一定の円柱状をなしている。軸部１３７の径寸法は、端壁１３４の中央の開口を挿通可能な寸法とされている。軸部１３７の先端部分は、先端へ向かって径寸法が少しずつ小さくなる円錐形状をなしている。軸部１３７の先端は、ベゼル４０の覆部４３に対して接触する第２接触部１３８とされ、その軸方向（ベゼル４０との接触方向）に尖った形状をなしている。なお、第２接触部１３８は、コンタクト部１３０の中心軸上に位置している。
【０１０８】
このコンタクト部１３０を、実施形態５と同様、貫通口７３から開口部７１側に向けて挿入し、所定位置に取り付けたときには、頭部１３２の先端部（第２接触部１３８）がベゼル４０の配置位置に配された状態になる。そして、ベゼル４０を組み付けると、ベゼル４０の覆部４３が第２接触部１３８に接触して頭部１３２が胴部１３３側へ押し込まれ、圧縮コイルばね１３１が圧縮した状態になり、第２接触部１３８がベゼル４０の覆部４３に弾性的に接触した状態になる。
【０１０９】
以上説明したように本実施形態によれば、ドライバ基板２０には、グランドパターン７２と、開口部７１と、コンタクト部１３０とが形成され、コンタクト部１３０は、ドライバ基板２０に形成されたグランドパターン７２に接触する第１接触部７４と、ベゼル４０に接触する第２接触部１３８とを有しているから、実施形態５と同様に、厚さ寸法の大きいガスケットを使用しなくても、ドライバ基板２０のグランドを強化することができるので、電磁波ノイズ対策を強化することができる。
【０１１０】
加えて、コンタクト部１３０の胴部１３３は筒状をなし、その内部には圧縮コイルばね１３１が収容され、圧縮コイルばね１３１の軸方向の一端側には頭部１３２が備えられ、第２接触部１３８は頭部１３２に設けられ、圧縮コイルばね１３１が弾性収縮した状態でベゼル４０に接触するものである。したがって、ベゼル４０が外側（コンタクト部１３０から離れる側）に変位した場合であっても、圧縮コイルばね１３１の復元力により頭部１３２がベゼル４０側に押されてベゼル４０と接触状態に保持されるから、ベゼル４０に対する高い接触圧を確保することができ、接続信頼性に優れたものとすることができる。
【０１１１】
＜他の実施形態＞
本発明は上記記述及び図面によって説明した実施形態に限定されるものではなく、例えば次のような実施形態も本発明の技術的範囲に含まれる。
【０１１２】
（１）上記実施形態では、ドライバ基板２０は、筐体３２の壁板３５に沿って配置されているが、これに限らず、例えばドライバ基板を底板に沿って配置し、ベゼル４０とは異なる他の保持部材に接触させるようにしてもよい。
（２）上記実施形態では、筐体３２は金属製の底部材３３と樹脂製の壁部材３４とからなるものとされているが、これに限らず、筐体は、底部材と壁部材とが同じ材料で一体に形成されたものであってもよく、また金属製であっても樹脂製であってもよい。
【０１１３】
（３）上記実施形態では、グランドパターン２２（７２）は、ドライバ基板２０の表裏両面のうち一方の面から開口部２１（７１）を形成する開口内壁面２３（７１Ａ）にわたって形成されているが、グランドパターンは、必ずしも開口内壁面に形成されていなくてもよい。このときには、コンタクト部の第１接触部を、例えばドライバ基板の板面に延出する形態とし、この板面に形成されたグランドパターンに弾性的に接触させるものとしてもよい。
【０１１４】
（４）上記実施形態では、筐体３２に貫通口３７（７３）が形成され、コンタクト部５０（７０）（１３０）は、開口部２１（７１）および貫通口３７（７３）に挿入されるものであり、筐体係止部５８（７６，９０）は、貫通口３７（７３）の周縁部に対して係止するものとされているが、コンタクト部を筐体に係止させる手段はこの形態に限らなくてもよく、例えば、筐体に奥壁のある窪み形状の凹部を形成し、筐体係止部を、凹部に圧入させるものとしてもよい。
【０１１５】
（５）上記実施形態では、コンタクト部５０（７０）（１３０）は金属材料よりなるものとされているが、コンタクト部５０（７０）（１３０）の全体、または少なくとも第２接触部５７（７５）（１３８）を形状記憶合金からなるものとしてもよい。これにより、液晶表示装置を組み立てる際に第２接触部を変形させたとしても、加熱によりもとの形状に復帰させることができる。
【０１１６】
（６）実施形態１では、第２接触部５７は片持ち状をなしているが、第２接触部５７は両持ち状であってもよく、また実施形態３で示したような尖り形状のものであってもよい。
（７）実施形態１では、コンタクト部５０は、脚部５４の幅寸法が全長にわたり一定とされているが、これに限らず、例えば、図２４に示すように、コンタクト部１００は、脚部５４の先端部（コンタクト部１００の挿入方向の先端部）の幅方向の両角部１０１を面取り、または二点鎖線で示したように円弧状に丸めることで、先方に向かって幅寸法が小さくなる先細り形状（楔形状）としてもよい。これにより、コンタクト部１００の嵌合作業をスムーズに行うことができる。
【０１１７】
（８）実施形態１では、筐体係止部５８は、脚部５４の一部分が半円形断面をなして突出するように形成されているが、これに限らず、例えば、図２５および図２６に示すように、筐体係止部１１０は、各脚部５４の先端部を本体部５３側に折り返すことで形成され、コンタクト部５０の挿入方向の先方から後方へ向かって少しずつ側方に突出し、その後端が貫通口３７の周縁部に係止するものとしてもよい。これにより、コンタクト部５０の挿入作業を容易に行うことができ、かつ、筐体３２に対する係止力の向上を図ることができる。
【０１１８】
（９）実施形態２では、基板係止部６０は、本体部５３の端部を断面コの字状をなすように折り曲げて形成されているが、これに限らず、例えば、基板係止部は、コンタクト部の一部分を突出させることで形成してもよく、具体的には、図２７に示すように、連結部５２を本体部５３の両側に突出させ、この本体部５３よりも突出した連結部５２の両端部を、基板係止部１２０としてもよい。また、例えば連結部ではなく本体部の一部分を側方に突出させて基板係止部を形成してもよい。
【０１１９】
（１０）実施形態２では、基板係止部６０は、本体部５３の端部を断面コの字状をなすように折り曲げて形成されているが、これに限らず、例えば、基板係止部を、本体部の一部分を外側に切り起こすことで形成してもよい。
（１１）実施形態３では、コンタクト部７０の断面形状は略円形とされているが、これに限らず、例えば略方形としてもよい。
【０１２０】
（１２）実施形態５では、基板係止部９０は、胴部７０Ｂの一部分を外側に切り起こす等により形成され、頭部７０Ａ側を基端、筐体係止部７６側を自由端とする片持ち状とされているが、これに限らず、例えば、第１接触部７４と同様の構成、すなわち胴部７０Ｂの一部分を外側に叩き出す等により形成され、側方（胴部７０Ｂの法線方向）から見ると略円形をなすものとしてもよい。
【符号の説明】
【０１２１】
１０…液晶表示装置（表示装置）、１１…液晶パネル（表示パネル）、３０…バックライト装置（照明装置）、４０…ベゼル（保持部材）、２０…ドライバ基板（制御基板）、２１，７１…開口部、２２，７２…グランドパターン、２２Ａ，７２Ａ…接続部、２３，７１Ａ…開口内壁面、３１…蛍光ランプ（光源）、３２…筐体、３７，７３…貫通口、４３…覆部、５０，７０，１００，１３０…コンタクト部、５５，７７，８０…筐体挟持部、５６，７４…第１接触部、５７，７５，１３８…第２接触部、５８，７６，１１０…筐体係止部、６０，９０，１２０…基板係止部、１３１…圧縮コイルばね（弾性部材）、１３２…頭部（ピストン部）、ＴＶ…テレビ受信装置
【図１】
2012068301.tif 000003
【図２】
2012068301.tif 000004
【図３】
2012068301.tif 000005
【図４】
2012068301.tif 000006
【図５】
2012068301.tif 000007
【図６】
2012068301.tif 000008
【図７】
2012068301.tif 000009
【図８】
2012068301.tif 000010
【図９】
2012068301.tif 000011
【図１０】
2012068301.tif 000012
【図１１】
2012068301.tif 000013
【図１２】
2012068301.tif 000014
【図１３】
2012068301.tif 000015
【図１４】
2012068301.tif 000016
【図１５】
2012068301.tif 000017
【図１６】
2012068301.tif 000018
【図１７】
2012068301.tif 000019
【図１８】
2012068301.tif 000020
【図１９】
2012068301.tif 000021
【図２０】
2012068301.tif 000022
【図２１】
2012068301.tif 000023
【図２２】
2012068301.tif 000024
【図２３】
2012068301.tif 000025
【図２４】
2012068301.tif 000026
【図２５】
2012068301.tif 000027
【図２６】
2012068301.tif 000028
【図２７】
2012068301.tif 000029